(57)【要約】      （修正有）【課題】より高い強度を保ちつつ、海側を目視することのできる防波堤を提供する。【解決手段】防波堤であって、高さを有し、幅方向に伸長し、厚さを有する躯体１１と、躯体において高さ方向に延びる縦穴１５と、躯体１１において縦穴１５と交差して厚さ方向に貫通する開口１２と、縦穴１５に配置され、全体として比重が１よりも小さいフロート１８とを備える。海面が上昇するとフロート１８が上昇し、上昇したフロートが開口を塞ぎ、海水の侵入を抑えると共に、単にフロートのみが上昇する構造よりも高い強度を有し、防波堤を超える波の強さを緩衝することができる。【選択図】図１
0003211077.tif 000002
【実用新案登録請求の範囲】
【請求項１】
防波堤であって、
高さを有し、幅方向に伸長し、厚さを有する躯体と、
前記躯体において前記高さ方向に延びる縦穴と、
前記躯体において前記縦穴と交差して前記厚さ方向に貫通する開口と、
前記縦穴に配置され、全体として比重が１よりも小さいフロートとを備える
ことを特徴とする防波堤。
【請求項２】
前記躯体において、前記開口より下方で前記縦穴から海側に開けられた海水取入口を更に備える
ことを特徴とする請求項１記載の防波堤。
【請求項３】
前記躯体の陸側で、前記躯体から前記厚さ方向に延びる補助躯体を更に備える
ことを特徴とする請求項１または２記載の防波堤。
【請求項４】
前記縦穴に配置される筒部を更に備える
ことを特徴とする請求項１、２または３記載の防波堤。
【請求項５】
前記フロートの高さは、前記縦穴の深さの４０〜６０％である、
ことを特徴とする請求項１、２、３または４記載の防波堤。
【請求項６】
前記縦穴の上部開口には、前記上部開口を覆うキャップが配置される
ことを特徴とする請求項１、２、３、４または５記載の防波堤。
【考案の詳細な説明】
【技術分野】
【０００１】
本考案は、例えば港や海岸に設置される防波堤に関するものである。
【背景技術】
【０００２】
昨今、地震や津波等の自然災害への対策に対する意識が高まっている。このような自然災害のうち、特に津波や高潮等の自然災害は、その規模が大きくなると、広い範囲で建物を倒壊させたり、人命を奪うような大きな被害に繋がることが知られている。一方、防波堤は、陸上から視た際に、少なからずから海の視界を妨げるものであるが、完全に海への視界を妨げてしまうと、津波や高潮の発生の際に、沖に発生した異常波を目視することができず、逃げ遅れて大きな被害に発展する恐れがある。このような大きな被害を引き起こす恐れのある津波や高潮等への対策として、平常時には景観を阻害しないように全高が低く、津波や高潮などの異常潮位時に防波フロートを上昇させて防波機能を発揮する可動式防波堤が知られている（例えば、特許文献１参照）。
【先行技術文献】
【特許文献】
【０００３】
【特許文献１】特開２００６−０７０５３６号公報
【考案の概要】
【考案が解決しようとする課題】
【０００４】
津波や高潮は巨大な運動量をもって押し寄せて来るため、防波堤の強度が十分でない構造の場合には、そのエネルギーを十分に緩衝することなく、破壊されてしまう恐れがある。しかしながら、前記従来例のように単に防波フロートのみを上昇させるようにした構造では、津波や高潮のエネルギーに対する十分な強度が得られないという問題点があった。
【０００５】
本考案は前記問題点に鑑みてなされたものであり、その目的とするところは、より高い強度を保ちつつ、海側を目視することのできる防波堤を提供することにある。
【課題を解決するための手段】
【０００６】
本考案は前記目的を達成するために、防波堤であって、高さを有し、幅方向に伸長し、厚さを有する躯体と、前記躯体において前記高さ方向に延びる縦穴と、前記躯体において前記縦穴と交差して前記厚さ方向に貫通する開口と、前記縦穴に上下方向に移動自在に配置され、全体として比重が１よりも小さいフロートとを備えるように構成している。
【０００７】
これにより、平常時の海面の高さにおいて、開口を介して陸側から海側を目視することができる。また、例えば津波や高潮により海面が上昇すると、フロートが上昇し、上昇したフロートは開口を塞ぐため、更なる海面上昇による海水の侵入を抑えると共に、単にフロートのみが上昇する構造よりも高い強度を有し、防波堤を超えてくる波の強度を緩衝することができる。
【考案の効果】
【０００８】
本考案によれば、開口を有する躯体を用いて構成されているため、より高い強度を保ちつつ、海側を目視することができる。
【図面の簡単な説明】
【０００９】
【図１】本考案の実施形態に係る防波堤の一部斜視図
【図２】図１の防波堤の海側からの視野である一部正面図
【図３】図１の防波堤の陸側からの視野である一部背面図
【図４】キャップを外した場合における、図１の防波堤の一部平面図
【図５】図２のＶ−Ｖ線における断面図
【図６】海面が高くなった場合における、図５と同じ視野における断面図
【図７】岸壁に設置された防波堤の図５と同じ視野における断面図
【考案を実施するための形態】
【００１０】
図１乃至図６は本考案の実施形態を示すもので、例えば津波や高潮の発生時に海水が陸側に入り込むのを緩衝する防波堤１０を示すものである。
【００１１】
本実施形態の防波堤１０は、高さを有し、幅方向に伸長し、厚さを有する躯体１１と、躯体１１において高さ方向に延びる縦穴１５と、躯体１１において縦穴１５と交差して厚さ方向に貫通する開口１２と、縦穴１５に配置され、全体として比重が１よりも小さいフロート１８と、を有している。図１では理解しやすくするためにフロート１８に斜線を施している。
【００１２】
このような構成とすることにより、例えば潮位の高くない平常時には、陸側から開口１２を通じて、防波堤１０より海側の様子を視ることができる。また、例えば津波や高潮等の原因により海面３０が上昇すると、フロート１８が押し上げられ、フロート１８により開口１２を閉鎖するため、開口１２を介して陸側に海水が侵入するのを抑えると共に、防波堤１０を超えて押し寄せる波の強さを緩衝することができる。ここで、躯体１１は例えばＲＣ（Reinforced Concrete）造等の、フロート１８より高い強度で形成することができる。これにより、開口１２を有していても躯体１１は全体として高い強度の構造を有することができる。つまり、例えば、潮位が高くなった際に、単にフロート１８が持ち上がることにより壁を形成するような場合と比較して、フロート１８よりも高い強度の躯体１１に開口１２を設けた構成のため、津波のような非常に強い波が押し寄せたとしても、容易に破壊されない構造とすることができる。したがって、本実施形態の防波堤１０は、海を目視することのできると共に、高い強度を保つことができる。
【００１３】
フロート１８は、例えば比重が１よりも小さい樹脂材料を用いることができる。また、内部に空気等を密閉できるような構造としてもよい。例えば強度を上げるために骨組みに比重１以上の金属等その他の材料を含む等であっても全体の比重が１よりも小さければ、潮位の上昇に従って上昇するフロート１８とすることができる。
【００１４】
本実施形態の図面においては、開口１２を縦穴１５に沿ってそれぞれ２カ所設けているが、１カ所であってもよいし、３カ所以上設けてもよく、防波堤１０が設置される地形や、防波堤１０の設計により適宜定めることができる。また、図面では、開口１２の幅を縦穴１５と同じ幅としているが、開口１２の幅は、縦穴１５の幅よりも小さくすることができる。
【００１５】
本実施形態の図面においては、防波堤１０の幅の一部について示しているが、防波堤１０の幅は地形や津波や高潮への対策方針に従って適宜定めることができる。
【００１６】
ここで、防波堤１０は、開口１２より下方で、縦穴１５から海側に開けられた海水取入口１３を有していてもよい。海水取入口１３を有することにより、津波や高潮により潮位が上昇した際に効率よく、縦穴１５に海水を注入することができ、フロート１８を押し上げることができる。また、潮位が下がった際にも効率よく縦穴１５の海水を放出することができる。なお、図面では、海水取入口１３を縦穴１５に沿ってそれぞれ２カ所設けているが、１カ所であってもよいし、３カ所以上設けてもよく、防波堤１０が設置される地形や、防波堤１０の設計により適宜定めることができる。また、図面では、海水取入口１３の幅を縦穴１５と同じ幅としているが、海水取入口１３の幅は、縦穴１５の幅よりも小さくすることができる。
【００１７】
また、防波堤１０の陸側には、防波堤１０の厚さ方向に延びる補助躯体１６を更に有していてもよい。補助躯体１６は、躯体１１と同じ材料とすることができ、平面視で防波堤１０の厚さ方向に延びるものとすることができる。本実施形態においては、補助躯体１６の側面の形状を、躯体１１の高さから斜め下方に延びる斜辺を有する直角三角形としているが、矩形であってもよいし、躯体１１の高さに満たないものであってもよい。この補助躯体１６により、例えば海水の質量や波の運動量による海側からの圧力に対する防波堤１０の強度を高めることができ、防波堤１０が倒壊する危険性をより低く抑えることができる。
【００１８】
また、躯体１１は、縦穴１５に配置される筒部１４を更に有していてもよい。筒部１４を有することにより、フロート１８により適したサイズの穴とすることができ、またフロート１８が滑らかに上下することができる材料を選択することができる。したがって、躯体１１と筒部１４とは異なる材料により形成されることができる。例えば筒部１４は金属や樹脂等で形成されていてもよい。また筒部１４は下方端が塞がっている形状であってもよい。しかしながら、筒部１４を用いずに、躯体１１に直接フロート１８を配置する構成としてもよい。
【００１９】
また、フロート１８の高さは、縦穴１５の深さの４０〜６０％とすることができる。これにより、縦穴１５の深さのうち、上方４０〜６０％に開口１２を設けることができ、より効率的に津波・高潮時に防波堤１０を機能させることができる。
【００２０】
縦穴１５の上部開口には、上部開口を覆うキャップ１７が配置されることとしてもよい。これにより、キャップ１７は、フロート１８が上昇した際に防波堤１０の高さより上に突き出るのを防ぐ。しかしながら、フロート１８の上昇を妨げないように空気は抜けるような構成、例えばキャップ１７を網状の材料で形成したり、縦穴１５の上部開口と隙間を開けて固定されるもの等とすることができる。
【００２１】
ここで、本実施形態では、防波堤１０の高さと縦穴１５の深さを略同じ大きさで記載しているが、設置場所の地形や予測される波の高さに応じて防波堤１０の高さより深い縦穴１５であってもよいし、逆に防波堤１０の高さより浅い縦穴１５としてもよい。
【００２２】
図７は本考案の防波堤１０を岸壁に設置した場合の様子について示す、図５と同じ視野における断面図である。このように平常時において波が打ち寄せる場所に設けられる場合には、津波や高潮等の海面３０が上昇した際に海水が入り込む位置に海水取入口１３を設けるように設置することができる。
【００２３】
なお、上述の実施形態においては、防波堤１０は海からの自然災害に備えるものとして説明したが、湖や河川の氾濫等に備える堤防として用いるものであってもよい。
【００２４】
以上のように構成された防波堤１０は、海面３０の高さが平常時において、開口１２を介して海側を目視することができる。また、例えば津波や高潮により海面３０が上昇すると、海水取入口１３等から縦穴１５に海水が入り、フロート１８を上昇させる。上昇したフロート１８は開口１２を塞ぐため、更なる海面３０上昇による海水の侵入を抑えると共に、防波堤１０を超える波の強度を緩衝することができる。
【符号の説明】
【００２５】
１０…防波堤、１１…躯体、１２…開口、１３…海水取入口、１４…筒部、１５…縦穴、１６…補助躯体、１７…キャップ、１８…フロート、３０…海面。
【図１】
0003211077.tif 000003
【図２】
0003211077.tif 000004
【図３】
0003211077.tif 000005
【図４】
0003211077.tif 000006
【図５】
0003211077.tif 000007
【図６】
0003211077.tif 000008
【図７】
0003211077.tif 000009